(57)【要約】      （修正有）【課題】Ｘ線管を含むＸ線照射部を吊下げているワイヤーロープの破断時の危険を防止することができるＸ線撮影装置を提供する。【解決手段】Ｘ線照射部５を吊下げて支持しているワイヤーロープ１７、１８を、疲労強度が異なるワイヤーロープで構成し、疲労の進行状態に差を生じさせ、疲労強度の小さい側のワイヤーロープが先に破断するようにし、少なくとも両方のワイヤーロープが同時に破断しないようにした。【選択図】図２
0003198995.tif 000002
【実用新案登録請求の範囲】
【請求項１】
Ｘ線管を含むＸ線照射部を少なくとも２本のワイヤーロープで吊下げて昇降させる方式のＸ線撮影装置において、前記少なくとも２本のワイヤーロープを疲労強度が異なるワイヤーロープで構成したことを特徴とするＸ線撮影装置。
【請求項２】
請求項１記載のＸ線撮影装置であって、前記Ｘ線照射部に連結された前記ワイヤーロープの他端を、プーリーを介して前記Ｘ線照射部の総重量と釣り合うバランス機構に連結したことを特徴とするＸ線撮影装置。
【請求項３】
請求項１または請求項２記載のＸ線撮影装置であって、疲労強度の小さい側の前記ワイヤーロープの破断を検出する手段を備えたことを特徴とするＸ線撮影装置。
【考案の詳細な説明】
【技術分野】
【０００１】
本考案は、Ｘ線管を含むＸ線照射部をワイヤーロープで吊下げる方式のＸ線撮影装置に関する。
【背景技術】
【０００２】
医療用一般Ｘ線撮影装置には、Ｘ線管を含むＸ線照射部が、天井に敷設されたレール上を走行可能なキャリッジ部から下方に延設された支柱に沿って昇降（上下動）可能な状態で支持されている天井走行式、被験者が横臥するテーブル近傍の床面に設置された支柱に沿って昇降可能な状態で支持されている据え置き型、移動可能な台車から垂設された支柱に沿って昇降可能な状態で支持されている回診（移動）用など種々のタイプがある。通常、いずれのＸ線撮影装置においてもＸ線管を含むＸ線照射部は、支柱内で少なくとも２本のワイヤーロープで吊下げて支持する方式が採用されている。
Ｘ線管を含むＸ線照射部を１本のワイヤーロープで吊下げることも可能であるが、その場合には、疲労強度設計上その径が太くならざるを得ず、ワイヤーロープの太径に伴う柔軟性の欠如、プーリーおよび装置の大形化の制約のため、柔軟性のある適切な径の少なくとも２本のワイヤーロープが用いられるのが一般的である。
【０００３】
このようなＸ線撮影装置においては、ワイヤーロープの断線によるＸ線管を含むＸ線照射部の落下事故を防止するため、ワイヤーロープの断線を検出する断線検出機構が設けられている。例えば、天井走行式Ｘ線撮影装置において、Ｘ線管を複数のワイヤーロープにより吊下げるとともに、断線検出機構によりワイヤーロープの断線を常に監視し、断線検出機構がワイヤーロープの断線を検出した場合には、ブレーキ機構によりＸ線管を含むＸ線照射部の上下動をロックする構成が採用されている（特許文献１参照）。 
【先行技術文献】
【特許文献】
【０００４】
【特許文献１】特開２００８−１８３１０９号公報
【考案の概要】
【考案が解決しようとする課題】
【０００５】
従来のＸ線撮影装置においては、Ｘ線管を含むＸ線照射部を少なくとも２本のワイヤーロープで吊下げているが、通常、疲労強度が同一の少なくとも２本のワイヤーロープに対し均等に質量が負荷されるため、ワイヤーロープの経年変化に伴って発生するワイヤーロープ材質の疲労が、それぞれのワイヤーロープで同程度に進行する。このため、最悪の場合には、同時にワイヤーロープが破断するおそれがある。
このような場合においては、ブレーキ機構によりＸ線管を含むＸ線照射部の上下動をロックすることが不可能となり、Ｘ線照射部が落下する危険が生ずる。
【０００６】
本考案は、上記従来技術の課題を解決するため、Ｘ線管を含むＸ線照射部を吊下げている少なくとも２本のワイヤーロープが同時に破断することがないようにしたＸ線撮影装置を提供することを目的としている。
【課題を解決するための手段】
【０００７】
上記課題を解決するため、請求項１記載の本考案のＸ線撮影装置は、Ｘ線管を含むＸ線照射部を少なくとも２本のワイヤーロープで吊下げて昇降させる方式のＸ線撮影装置であって、少なくとも２本のワイヤーロープを疲労強度が異なるワイヤーロープで構成したものである。
疲労強度とは、材料に繰り返し応力を加えた場合に、応力を無限回数負荷しても破壊しない応力振幅の上限であり、疲労試験によって求めることができる。
【０００８】
また、請求項２記載の本考案のＸ線撮影装置は、請求項１記載のＸ線撮影装置であって、Ｘ線照射部に連結されたワイヤーロープの他端を、プーリーを介してＸ線照射部の総重量と釣り合うバランス機構に連結したものである。
バランス機構としては、カウンターウエイトまたはバネ付勢（力）機構が用いられる。
【０００９】
さらに、請求項３記載の本考案のＸ線撮影装置は、請求項１または請求項２記載のＸ線撮影装置であって、疲労強度の小さい側のワイヤーロープの破断を検出する手段を備えたものである。
ワイヤーロープの破断検出手段としては、種々のものがあるが、例えば、ワイヤーロープの張力を検知する機械式マイクロスイッチが好適である。
【考案の効果】
【００１０】
本考案のＸ線撮影装置によれば、Ｘ線管を含むＸ線照射部を吊下げている少なくとも２本のワイヤーロープを疲労強度が異なるワイヤーロープで構成しているので、ワイヤーロープの疲労の進行状態に差が生じ、疲労強度の小さいほうのワイヤーロープが必ず先に破断し、少なくとも２本のワイヤーロープのすべてが同時に破断することがない。
したがって、破断したワイヤーロープを適宜の破断検出手段により検出し、ワイヤーロープを交換することができるので、Ｘ線管を含むＸ線照射部の落下事故を未然に防止し、安全な状態で継続使用することができる。なお、ワイヤーロープの交換にあたっては、破断していないワイヤーロープを含めてすべてのワイヤーロープを一式交換する。
【図面の簡単な説明】
【００１１】
【図１】本考案の据え置き型Ｘ線撮影装置の全体構成を示す概要図である。
【図２】本考案のＸ線撮影装置の主要部を模式的に示す側面図である。
【図３】本考案のＸ線撮影装置のワイヤーロープの破断検出手段の一例を示す模式図である。
【考案を実施するための形態】
【００１２】
以下、図面を参照してＸ線撮影装置の実施形態の一例について説明する。
【００１３】
図１に本考案の据え置き型Ｘ線撮影装置の全体構成を示す。図１において、Ｘ線撮影装置１はＸ線管２、コリメータ（図示せず）、操作盤３および操作ハンドル４を含むＸ線照射部５を備えている。Ｘ線照射部５は被験者６が横臥するテーブル７の近傍の床面９に設置された支柱１０のガイドスリット１１に沿って昇降可能な状態で、後述するとおり、２本のワイヤーロープ１７、１８により吊下げられて支持されている（図２参照）。
また、テーブル７の裏面には、Ｘ線照射部５に対向してフラットパネルディテクタ８が配置されており、同じくテーブル７の下方空間にはＸ線高電圧装置、画像処理装置や撮影制御装置など（図示せず）を収容している筐体１２が配置されている。
【００１４】
Ｘ線管２から放射されたＸ線はコリメータ（図示せず）でＸ線照射領域が設定され、被検者６を通過したＸ線はフラットパネルディテクタ８により検出される。フラットパネルディテクタ８による検出値は、図示しないが、筐体１２内の画像処理装置に入力され、画像信号を記憶するとともに、画像処理して画像表示部に画像信号を送信し、画像表示部は画像信号に応じてＸ線撮影画像を表示する。
【００１５】
図２に本考案のＸ線撮影装置の主要部を模式的に示す。Ｘ線管２、コリメータ（図示せず）、操作盤３および操作ハンドル４を含むＸ線照射部５は、支持部材１３を介して取付けブロック１４により保持されている。
取付けブロック１４は、支柱１０内にプーリー１５、１６に巻回されたワイヤーロープ１７、１８の一端が連結されて吊下げられている。ワイヤーロープ１７、１８の他端は支持部材１３、取付けブロック１４、Ｘ線照射部５の総重量と釣り合うカウンターウエイト１９、２０に連結している。このような構成により、操作ハンドル４を操作することによりＸ線照射部５を支柱１０のガイドスリット１１（図１参照）に沿って容易に昇降させることができる。
なお、カウンターウエイト１９、２０に代えてバネ付勢（力）機構を利用してバランスをとることもできる。
【００１６】
本考案のＸ線撮影装置で使用するワイヤーロープ１７、１８は、疲労強度が異なるワイヤーロープで構成している。したがって、ワイヤーロープ１７、１８の疲労の進行状態に差が生じ、疲労強度の小さい側のワイヤーロープ１７またはワイヤーロープ１８が必ず先に破断するので、少なくとも両方のワイヤーロープ１７、１８が同時に破断することはない。疲労強度にどの程度の差をもたせるかは実験的に求めることができる。
【００１７】
ワイヤーロープ１７、１８の破断は適宜の破断検出手段により容易に検出することができる。図３にその一例を示す。例えば、疲労強度の小さい側のワイヤーロープ１７に所定の付勢力をもって当接する接触子２１を備えた機械式マイクロスイッチ２２を用いることができる。ワイヤーロープ１７はプーリー１５を介して取付けブロック１４とカウンターウエイト１９を両端に吊下げており、常に一定の張力を有しているが、破断したときには張力がほとんどフリーの状態となるため、当接する接触子２１により常時ＯＮ状態のスイッチがＯＦＦ状態となってその破断を検出することができる。
通常、先に破断する疲労強度の小さい側のワイヤーロープ１７の破断を検出すれば十分であるが、より安全のため他方のワイヤーロープ１８側にも同様に破断検出手段、例えば、機械式マイクロスイッチ２２を備えても構わない。
【符号の説明】
【００１８】
１  Ｘ線撮影装置
２  Ｘ線管
３  操作盤
４  操作ハンドル
５  Ｘ線照射部
６  被験者
７  テーブル
８  フラットパネルディテクタ
９  床面
１０  支柱
１１  ガイドスリット
１２  筐体
１３  支持部材
１４  取付けブロック
１５、１６  プーリー
１７、１８  ワイヤーロープ
１９、２０  カウンターウエイト
２１  接触子
２２  機械式マイクロスイッチ
【図１】
0003198995.tif 000003
【図２】
0003198995.tif 000004
【図３】
0003198995.tif 000005